(57)【要約】【課題】より簡単な構成で、上下左右の向きを検出することができる方向検出センサ及び表示装置を提供する。【解決手段】表示装置に備わる方向検出センサ４において、密閉容器４１に、筒状部材４１１及び当該筒状部材４１１の開口を閉蓋する２つの蓋部材４１２、４１２と、密閉容器４１の内部に封入され、密閉容器の内部に気泡Ｂを形成する電解液Ｌと、筒状部材４１１の上部、下部、右側部、左側部のそれぞれに設けられた４つの電極４２ａ〜４２ｄと、を備え、検出手段は、各電極４２ａ〜４２ｄ間の通電の状態を検出し、特定手段は、検出手段により検出された各電極４２ａ〜４２ｄ間の通電の状態に基づいて、方向検出センサ４における予め定められた基準位置Ｐが上下左右方向の何れの方向に向いているかを特定する。【選択図】図１
2008311021.tif 000002
【特許請求の範囲】
【請求項１】
筒状部材及び当該筒状部材の開口を閉蓋する２つの蓋部材を備える密閉容器と、前記密閉容器の内部に封入され、前記密閉容器の内部に気泡を形成する電解液と、前記筒状部材の上部、下部、右側部、左側部のそれぞれに設けられた４つの電極と、を備える方向検出センサと、
前記方向検出センサの各電極間の通電の状態を検出する検出手段と、
前記検出手段により検出された前記各電極間の通電の状態に基づいて、当該方向検出センサにおける予め決められた基準位置が上下左右方向の何れの方向に向いているかを特定する特定手段と、
を備えることを特徴とする方向検出装置。
【請求項２】
請求項１に記載の方向検出装置を備える表示装置であって、
画像を表示する表示部と、
前記特定手段により特定された前記基準位置が向いている方向に合わせて、前記表示部における画像の表示方向を制御する表示制御手段と、
を備えることを特徴とする方向検出装置を備える表示装置。
【請求項３】
画像を表示する表示部と、所定の操作を行うためのキーを備える操作部と、方向検出センサと、を備える表示装置において、
前記方向検出センサは、
筒状部材及び当該筒状部材の開口を閉蓋する２つの蓋部材を備える密閉容器と、前記密閉容器の内部に封入され、前記密閉容器の内部に気泡を形成する電解液と、前記筒状部材の上部、下部、右側部、左側部のそれぞれに設けられた４つの電極と、を備え、
前記方向検出センサの各電極間の通電の状態を検出する検出手段と、
前記検出手段により検出された前記各電極間の通電の状態に基づいて、当該方向検出センサにおける予め決められた基準位置が上下左右方向の何れの方向に向いているかを特定する特定手段と、
前記特定手段により特定された前記基準位置が向いている方向に合わせて、前記表示部における画像の表示方向を制御する表示制御手段と、
前記操作部のキーが操作された場合に、前記特定手段により特定された前記基準位置が向いている方向に応じた操作内容の制御を行う操作制御手段と、
を備えることを特徴とする表示装置。
【発明の詳細な説明】
【技術分野】
【０００１】
本発明は、方向検出装置及び方向検出装置を備える表示装置に関する。
【背景技術】
【０００２】
従来、傾斜角を検出する傾斜センサとして、密閉容器内における気泡の位置を電気的に検出することによって、傾斜角を検出する気泡変位型の傾斜センサが知られている。
【０００３】
また、例えば、特許文献１には、傾斜センサの傾斜角検出方向に直交する方向における配置状態が悪い場合であっても、適正に測定対象の傾斜角を検出するための傾斜センサが開示されている。この傾斜センサでは、測定対象の傾斜角を検出する場合に、密閉容器の筒状部材の中心軸が水平方向に向けて配置され、中心軸に直交する方向が傾斜角検出方向に向けて配置された際に、電解液により密閉容器内に略平面の液面が形成される。そして、密閉容器が傾斜角検出方向において水平に対して傾斜した場合、液面と密閉容器内面との間の表面張力よりも密閉容器内の空気の浮力が大幅に大となり、電解液が略平面の液面を維持した状態で、密閉容器内で相対的に傾斜するように構成される。
【特許文献１】特開平１０−３１８７４７号公報
【発明の開示】
【発明が解決しようとする課題】
【０００４】
しかしながら、従来の気泡変位型の傾斜センサでは、各電極の電流値を測定して、各電流値の比を算出し、さらに、電流値の比を演算して傾斜角を算出する。そのため、より細かい傾斜角の検出が可能である一方で、構成・処理が複雑となってしまうという問題があった。また、例えば、上下左右の向きを検出する場合には、細かい傾斜角の検出は必ずしも必要でない。
【０００５】
本発明の課題は、より簡単な構成で、上下左右の向きを検出することができる方向検出装置及びこの方向検出装置を備える表示装置を提供することである。
【課題を解決するための手段】
【０００６】
上記課題を解決するため、請求項１に記載の発明は、方向検出装置において、筒状部材及び当該筒状部材の開口を閉蓋する２つの蓋部材を備える密閉容器と、前記密閉容器の内部に封入され、前記密閉容器の内部に気泡を形成する電解液と、前記筒状部材の上部、下部、右側部、左側部のそれぞれに設けられた４つの電極と、を備える方向検出センサと、
前記方向検出センサの各電極間の通電の状態を検出する検出手段と、
前記検出手段により検出された前記各電極間の通電の状態に基づいて、当該方向検出センサにおける予め決められた基準位置が上下左右方向の何れの方向に向いているかを特定する特定手段と、
を備えることを特徴とする。
【０００７】
請求項２に記載の発明は、請求項１に記載の方向検出装置を備える表示装置であって、
画像を表示する表示部と、
前記特定手段により特定された前記基準位置が向いている方向に合わせて、前記表示部における画像の表示方向を制御する表示制御手段と、
を備えることを特徴とする。
【０００８】
請求項３に記載の発明は、画像を表示する表示部と、所定の操作を行うためのキーを備える操作部と、方向検出センサと、を備える表示装置において、
前記方向検出センサは、
筒状部材及び当該筒状部材の開口を閉蓋する２つの蓋部材を備える密閉容器と、前記密閉容器の内部に封入され、前記密閉容器の内部に気泡を形成する電解液と、前記筒状部材の上部、下部、右側部、左側部のそれぞれに設けられた４つの電極と、を備え、
前記方向検出センサの各電極間の通電の状態を検出する検出手段と、
前記検出手段により検出された前記各電極間の通電の状態に基づいて、当該方向検出センサにおける予め決められた基準位置が上下左右方向の何れの方向に向いているかを特定する特定手段と、
前記特定手段により特定された前記基準位置が向いている方向に合わせて、前記表示部における画像の表示方向を制御する表示制御手段と、
前記操作部のキーが操作された場合に、前記特定手段により特定された前記基準位置が向いている方向に応じた操作内容の制御を行う操作制御手段と、
を備えることを特徴とする。
【発明の効果】
【０００９】
本発明によれば、方向検出装置において、方向検出センサに、筒状部材及び当該筒状部材の開口を閉蓋する２つの蓋部材を備える密閉容器と、密閉容器の内部に封入され、密閉容器の内部に気泡を形成する電解液と、筒状部材の上部、下部、右側部、左側部のそれぞれにもうけられた４つの電極と、が備わる。また、検出手段により、方向検出センサの各電極間の通電の状態が検出され、特定手段により、検出手段により検出された各電極間の通電の状態に基づいて、当該方向検出センサにおける予め決められた基準位置が上下左右方向の何れの方向に向いているかが特定される。
したがって、筒状部材に設けられた４つの電極間の通電の状態に基づいて基準位置が向いている方向が検出されることとなり、より簡単な構成で、上下左右の向きを検出することがきる方向検出装置を提供することができる。
【発明を実施するための最良の形態】
【００１０】
以下、本発明の実施の形態を、図面を参照しながら詳細に説明する。
図１は、本実施形態における表示装置１００の略正面図である。また、図２は、本実施形態における表示装置１００の要部構成を例示するブロック図である。
【００１１】
本実施形態における表示装置１００は、例えば、ポータブル型のゲーム装置であり、例えば、図１に示すように、略長方形に形成される装置本体部１を備えている。
装置本体部１には、ゲームの画像を表示する表示部２と、ユーザが操作を行う操作部３とが長辺方向に並んで設けられている。また、図２に示すように、装置本体部１の内部には、表示装置１００の向き（方向検出センサ４における予め決められた基準位置Ｐの向き）を検出する方向検出センサ４と、制御部５とが備わり、制御部５によりこの表示装置１００の動作全般が制御される。
なお、方向検出装置は、方向検出センサ４と制御部５により構成される。
【００１２】
表示部２は、例えば、液晶ディスプレイ、ＥＬ（Electro Luminescence）ディスプレイ、ＬＥＤ（Light Emitting Diode）ディスプレイ等であり、制御部５の制御にしたがって、表示装置１００の向きに合わせて画像を表示する。
【００１３】
操作部３は、例えば、上下左右対称に配置された複数のキーＳＷ１〜ＳＷ５を備えて構成される。キーＳＷは、例えば、表示部２の画像における上下左右方向の移動を指示するための十字キーＳＷ１〜ＳＷ４や、十字キーの中央に設けられた電源キーＳＷ５等であり、ユーザにより押下操作が行われると、押下されたキーＳＷに対応する入力操作信号を制御部５に出力する。
【００１４】
方向検出センサ４は、例えば、複数の電極４２を備え、各電極４２間の通電状態に基づいて、上下左右の向きを電気的に検出する。
図３（ａ）は、上向き状態における方向検出センサ４の正面図であり、図３（ｂ）は、図３（ａ）のＩ−Ｉ線における平面視断面図である。なお、図３（ａ）の方向検出センサ４では、蓋部材４１２が省略されており、図３（ｂ）の方向検出センサ４では蓋部材４１２が図示されている。また、図４は、上向き状態における方向検出センサ４の要部回路例である。
【００１５】
図３に示すように、方向検出センサ４は、密閉容器４１を備えて成り、予め基準位置Ｐが決められている。そして、基準位置Ｐが向いている方向を検出することにより、方向検出センサ４（表示装置１００）の向きが特定される。図３（ａ）に示すように、本表示装置１００の方向検出センサＡでは、基準位置Ｐが、電極４２ａの位置に定められている。
ここで、基準位置Ｐ（方向検出センサ４／表示装置１００）が向いている方向とは、上下左右の４つの向きである。すなわち、水平状態である上向き（傾斜角度０度）と、上向きから矢印Ａの方向に９０度傾斜した状態の右向き（傾斜角度９０度）と、右向きから矢印Ａの方向に更に９０度傾斜した状態である下向き（傾斜角度１８０度）と、下向きから矢印Ａの方向に更に９０度傾斜した状態である左向き（傾斜角度２７０度）とである。
密閉容器４１は、筒状部材４１１を備えるとともに、円板状の２枚の蓋部材４１２、４１２により筒状部材４１１の両端部の開口が閉蓋されている。筒状部材４１１の内壁面には、４つの電極４２ａ〜４２ｄが、互いに対向する位置に設けられている。具体的には、電極４２ａ〜４２ｄは、筒状部材４１１の内壁面の上向き状態における上部中央、下部中央、右側部中央、左側部中央の各々に、一定の間隔を空けて、上下左右対称となるよう配設される。各電極４２ａ〜４２ｄにはリード線Ｃが接続され、リード線Ｃにより、電源ＶＣＣからの電圧が各電極４２ａ〜４２ｄに印加される。また、筒状部材４１１における各電極４２ａ〜４２ｄの間には、抵抗器Ｒ・・・が設けられ、電極４２間を流れる電流がこれらの抵抗器Ｒ・・・により制限される。
【００１６】
密閉容器４１の内部には、導体としての電解液Ｌが封入されるとともに、絶縁体としての気泡Ｂが形成されている。具体的には、４つの電極４２ａ〜４２ｄのうち、３つの電極４２が電解液Ｌに接触し、１つの電極４２のみが電解液Ｌに接触しない量の電解液Ｌが封入される。例えば、図３（ａ）に示すように、密閉容器４１内部を半分以上満たす量の電解液Ｌが封入されている。気泡Ｂは、方向検出センサ４が傾斜しても、常時、密閉容器４１内部における上部に位置し、電極４２ａ〜４２ｄのうち、上側に位置している電極４２を覆うこととなる。
【００１７】
具体的には、図５（ａ）に示すように、上向き状態では、電極４２ａが上側に位置して気泡Ｂに接触し、電極４２ｂ・４２ｃ・４２ｄは導体である電解液Ｌに接触する。すると、絶縁体である気泡Ｂに覆われている電極４２ａ以外の電極４２ｂ・４２ｃ・４２ｄ間（電極４２ｂ−４２ｃ間、電極４２ｃ−４２ｄ間、電極４２ｂ−４２ｄ間）の電気抵抗が減少し、一方、電極４２ａと他の電極４２ｂ・４２ｃ・４２ｄ間（電極４２ａ−４２ｂ間、電極４２ａ−４２ｃ間、電極４２ａ−４２ｄ間）の電気抵抗は増大する。
また、図５（ｂ）に示すように、右向き状態では、電極４２ｄが上側に位置して気泡Ｂに接触し、電極４２ａ・４２ｂ・４２ｃは電解液Ｌに接触する。すると、気泡Ｂに覆われている電極４２ｄ以外の電極４２ａ・４２ｂ・４２ｃ間（電極４２ａ−４２ｂ間、電極４２ｂ−４２ｃ間、電極４２ａ−４２ｃ間）の電気抵抗が減少し、一方、電極４２ｄと他の電極４２ａ・４２ｂ・４２ｃ間（電極４２ａ−４２ｄ間、電極４２ｂ−４２ｄ間、電極４２ｃ−４２ｄ間）の電気抵抗は増大する。
また、図５（ｃ）に示すように、下向き状態では、電極４２ｃが上側に位置して気泡Ｂに接触し、電極４２ａ・４２ｂ・４２ｄは電解液Ｌに接触する。すると、気泡Ｂに覆われている電極４２ｃ以外の電極４２ａ・４２ｂ・４２ｄ間（電極４２ａ−４２ｂ間、電極４２ｂ−４２ｄ間、電極４２ａ−４２ｄ間）の電気抵抗が減少し、一方、電極４２ｃと他の電極４２ａ・４２ｂ・４２ｄ間（電極４２ａ−４２ｃ間、電極４２ｂ−４２ｃ間、電極４２ｃ−４２ｄ間）の電気抵抗は増大する。
また、図５（ｄ）に示すように、左向き状態では、電極４２ｂが上側に位置して気泡Ｂに接触し、電極４２ａ・４２ｃ・４２ｄは電解液Ｌに接触する。すると、気泡Ｂに覆われている電極４２ｂ以外の電極４２ａ・４２ｃ・４２ｄ間（電極４２ａ−４２ｃ間、電極４２ｃ−４２ｄ間、電極４２ａ−４２ｄ間）の電気抵抗が減少し、一方、電極４２ｂと他の電極４２ａ・４２ｃ・４２ｄ間（電極４２ａ−４２ｂ間、電極４２ｂ−４２ｃ間、電極４２ｂ−４２ｄ間）の電気抵抗は増大する。
そのため、各電極４２ａ〜４２ｄ間における通電状態を検出することにより、上側に位置する電極４２が特定できることとなる。そして、各電極４２ａ〜４２ｄが上側に位置している場合における基準位置Ｐの向きを予め記憶するテーブル（図示省略）に基づいて、基準位置Ｐが向いている方向（上向き／右向き／下向き／左向き）を検出することができる。上側に位置する電極４２の特定と、基準位置Ｐが向いている方向の検出については、後述する検出プログラム５３ａ、特定プログラム５３ｂの説明と併せて説明する。
【００１８】
制御部５は、ＣＰＵ（Central Processing Unit）５１、メモリ部５２、ＲＯＭ（Read Only Memory）５３等を備えて構成されている。
【００１９】
ＣＰＵ５１は、表示装置１００の各部から入力された入力信号に応じて、ＲＯＭ５３に格納された各種プログラムを実行するとともに、実行にかかるプログラムに基づいて表示装置１００の各部に出力信号を出力することにより、表示装置１００の動作全般を統括制御する。
【００２０】
メモリ部５２は、例えば、ＲＡＭ（Random Access Memory）等の揮発性メモリからなるワークエリア５２１を備えており、ＣＰＵ５１によって各種プログラムが実行される際に生じる処理結果や、入力されたデータ等をこのワークエリア５２１に記憶させる。
【００２１】
また、メモリ部５２は、ＥＰＲＯＭ（Erasable Programmable ROM）等の不揮発性メモリからなるデータエリア５２２を備える。データエリア５２２には、例えば、操作テーブル５２２ａが格納されている。
操作テーブル５２２ａは、方向検出センサ４（表示装置１００／基準位置Ｐ）の向きに対応付けられた各キーＳＷ１〜５の操作内容を記憶する。この操作テーブル５２２ａについては、後述する操作制御プログラム５３ｄの説明と併せて説明する。
【００２２】
ＲＯＭ５３は、例えば、不揮発性メモリからなるプログラム格納エリアを有しており、具体的には、検出プログラム５３ａ、特定プログラム５３ｂ、表示制御プログラム５３ｃ、操作制御プログラム５３ｄ等を格納している。
【００２３】
検出プログラム５３ａは、例えば、ＣＰＵ５１に、方向検出センサ４における各電極４２間の通電の状態を検出する機能を実現させるためのプログラムである。
具体的には、ＣＰＵ５１は、方向検出センサ４の密閉容器４１の内壁面に配設された各電極４２ａ〜４２ｄ間（すなわち、電極４２ａ−４２ｂ間、電極４２ａ−４２ｃ間、電極４２ａ−４２ｄ間、電極４２ｂ−４２ｃ間、電極４２ｂ−４２ｄ間、電極４２ｃ−４２ｄ間）に流れる電流の電流値を、図示しない信号線により接続される電流検出回路４３により検出する。
ＣＰＵ５１は、かかる検出プログラム５３ａを実行することにより、検出手段として機能する。
【００２４】
特定プログラム５３ｂは、例えば、ＣＰＵ５１に、検出プログラム５３ａの実行により検出された各電極４２間の通電の状態に基づいて、基準位置Ｐが向いている方向を特定する機能を実現させるためのプログラムである。
具体的には、ＣＰＵ５１は、検出プログラム５３ａの実行により、各電極４２ａ〜４２ｄ間に流れる電流の電流値が検出されると、４つの電極４２ａ〜４２ｄのうち、他の３つの電極４２との間の通電量が少ない電極４２を判別する。上述したように、気泡Ｂに接触する電極４２は、他の電極４２との間の電気抵抗が増大して電流が流れにくくなるため、各電極４２ａ〜４２ｄの通電量を検出すれば、密閉容器４１において上側に位置する電極４２が判別されることとなる。ＣＰＵ５１は、例えば、他の電極４２との間の通電量が最少の電極４２を、上側に位置する電極４２であると判別する。そして、上側に位置すると判別された電極４２に基づいて、上側に位置する電極４２と基準位置Ｐの向きとの対応関係を記憶するテーブル（図示省略）を参照し、基準位置Ｐが向いている方向を特定する。当該基準位置Ｐの向きは、同時に、方向検出センサ４／表示装置１００の向きを示す。
すなわち、ＣＰＵ５１は、図５（ａ）に示す状態において、上側に位置する電極４２が電極４２ａである判別された場合には、基準位置Ｐが向いている方向を「上向き」と特定する。また、図５（ｂ）に示す状態において、上側に位置する電極４２が電極４２ｄであると判別された場合には、基準位置Ｐが向いている方向を「右向き」と特定する。また、図５（ｃ）に示す状態において、上側に位置する電極４２が電極４２ｃであると判別された場合には、基準位置Ｐが向いている方向を「下向き」と特定する。また、図５（ｄ）に示す状態において、上側に位置する電極４２が電極４２ｂであると判別された場合には、基準位置Ｐが向いている方向を「左向き」と特定する。
ＣＰＵ５１は、かかる特定プログラム５３ｂ実行することにより、検出手段として機能する。
【００２５】
表示制御プログラム５３ｃは、例えば、ＣＰＵ５１に、特定プログラム５３ｂの実行により特定された基準位置Ｐが向いている方向に合わせて、表示部２における画像の表示方向を制御する機能を実現させるためのプログラムである。
具体的には、ＣＰＵ５１は、特定プログラム５３ｂの実行において、方向検出センサ４の基準位置Ｐの向きが特定されると、特定された向きに合わせて表示部２における画像の表示方向を設定する。
例えば、図６（ａ）は、基準位置Ｐの向きが上向きと特定された場合の表示装置１００を示す。また、図６（ｂ）は、基準位置Ｐの向きが右向きと特定された場合の表示装置１００を示す。また、図６（ｃ）は、基準位置Ｐの向きが下向きと特定された場合の表示装置１００を示す。また、図６（ｄ）は、基準位置Ｐの向きが左向きと特定された場合の表示装置１００を示す。
すなわち、表示装置１００が、上向き／右向き／下向き／左向きの何れの向きで使用される場合であっても、表示部２の画像がその向きに応じて表示されることとなるため、ユーザは、表示装置１００をどの向きでも使用することができる。
ＣＰＵ５１は、かかる表示制御プログラム５３ｃを実行することにより、表示制御手段として機能する。
【００２６】
操作制御プログラム５３ｄは、例えば、ＣＰＵ５１に、操作部３のキーＳＷが操作された場合に、特定プログラム５３ｂの実行により特定された基準位置Ｐが向いている方向に応じた操作内容の制御を行う機能を実現させるためのプログラムである。
具体的には、ＣＰＵ５１は、操作部３に備わるキーＳＷ１〜ＳＷ５が操作されると、操作テーブル５２２ａを参照する。そして、操作テーブル５２２ａにおいて、特定された基準位置Ｐの向きに対応付けられている操作内容を読み出し、読み出した操作内容の制御を行う。
【００２７】
図７は、メモリ部５２のデータエリア５２２に記憶される操作テーブル５２２ａを例示する図である。図７に示すように、操作テーブル５２２ａでは、操作部３に備わるキーＳＷ１〜ＳＷ５のそれぞれに、基準位置Ｐ（方向検出センサ４／表示装置１００）が向いている上下左右の各方向での操作内容が対応づけられて記憶されている。例えば、十字キーを構成するキーＳＷ４は、上向きの場合には「右」の操作を指示するキー、右向きの場合には「下」の操作を指示するキー、下向きの場合には、「左」の操作を指示するキー、左向きの場合には「上」の操作を指示するキーとなる。すなわち、例えば、キーＳＷ４が、基準位置Ｐ（方向検出センサ４／表示装置１００）の向きが上向きと特定されている場合に操作されると、ＣＰＵ５１は、「右」の操作を指示するキーが押下されたと判断して制御を行う。一方、このキーＳＷ４が、基準位置Ｐ（方向検出センサ４／表示装置１００）の向きが下向きと特定されている場合に操作されると、ＣＰＵ５１は、「左」の操作を指示するキーが押下されたと判断して制御を行う。これにより、ユーザは、表示装置１００を上向き／右向き／下向き／左向きのどちらの向きで使用する場合であっても、ユーザに対して同じ位置に配置されたキーＳＷを操作すれば良いこととなり、表示装置１００の向きを意識することなく、キーＳＷの操作を行うことができる。
ＣＰＵ５１は、かかる操作制御プログラム５３ｄを実行することにより、操作制御手段として機能する。
【００２８】
以上説明した本実施形態における表示装置１００によれば、画像を表示する表示部２と、所定の操作を行うためのキーＳＷを備える操作部３と、方向検出センサ４と、が備わり、方向検出センサ４において、筒状部材４１１及び筒状部材４１１の開口を閉蓋する２つの蓋部材４１２、４１２を備える密閉容器４１と、密閉容器４１の内部に封入され、密閉容器４１の内部に気泡Ｂを形成する電解液Ｌと、筒状部材４１１の上部、下部、右側部、左側部のそれぞれに設けられた４つの電極４２ａ、４２ｂ、４２ｃ、４２ｄと、が備わる。また、検出プログラム５３ａの実行により、方向検出センサ４の各電極４２ａ〜４２ｄ間の通電の状態が検出され、特定プログラム５３ｂの実行により、検出プログラム５３ａの実行により検出された各電極４２間の通電の状態に基づいて、方向検出センサ４における予め決められた基準位置Ｐが、上下左右方向の何れの方向に向いているかが特定される。
したがって、筒状部材４１１に設けられた４つの電極４２ａ〜４２ｄ間の通電の状態に基づいて基準位置Ｐが向いている方向が検出されることとなり、より簡単な構成で、上下左右の向きを検出することができる方向検出センサ４を提供することができる。
【００２９】
また、表示制御プログラム５３ｃの実行により、特定プログラム５３ｂの実行により特定された基準位置Ｐが向いている方向に合わせて、表示部２における画像の表示方向が制御される。
したがって、表示装置１００を、上向き／右向き／下向き／左向きのどちらに向けても、表示部２の画像がその向きに応じて表示されることとなり、ユーザは、表示装置１００をどの向きでも使用することができる。
【００３０】
さらに、操作制御プログラム５３ｄの実行により、操作部３のキーＳＷが操作された場合に、特定プログラム５３ｂの実行により特定された基準位置Ｐが向いている方向に応じた操作内容の制御が行われる。
したがって、表示装置１００が、上向き／右向き／下向き／左向きのどちらに向けられる場合であっても、ユーザに対して同じ位置に配置されたキーＳＷを操作すれば良いこととなり、表示装置１００の向きを意識することなく、キーＳＷ１〜ＳＷ５の操作を行うことができる。
【００３１】
なお、本発明は、上記実施の形態に限られることなく、本発明の趣旨を逸脱しない範囲において、種々の改良並びに設計の変更を行っても良い。
例えば、検出プログラム５３ａ、特定プログラム５３ｂを含む制御部を表示装置１００の制御部５とは別に設けてもよい。
また、方向検出センサ４に、抵抗器Ｒの代わりに絶縁体を配設しても良い。
【図面の簡単な説明】
【００３２】
【図１】本実施形態における表示装置の略正面図である。
【図２】本実施形態における表示装置の要部構成を例示するブロック図である。
【図３】図３（ａ）は、上向き状態における方向検出センサの正面図であり、図３（ｂ）は、図３（ａ）のＩ−Ｉ線における平面視断面図である。
【図４】上向き状態における方向検出センサの要部回路例である。
【図５】上方向／右方向／下方向／左方向に向けられた方向検出センサの略正面図である。
【図６】上方向／右方向／下方向／左方向に向けられた表示装置の略正面図である。
【図７】操作テーブルを例示する図である。
【符号の説明】
【００３３】
１００                  表示装置
２                      表示部
３                      操作部
４                      方向検出センサ
４１                    密閉容器
４１１                  筒状部材
４１２                  蓋部材
４２ａ〜４２ｄ（４２）  電極
５１                    ＣＰＵ（検出手段、特定手段、表示制御手段、操作制御手段）
５３ａ                  検出プログラム（検出手段）
５３ｂ                  特定プログラム（特定手段）
５３ｃ                  表示制御プログラム（表示制御手段）
５３ｄ                  操作制御プログラム（操作制御手段）
Ｂ                      気泡
Ｌ                      電解液
Ｐ                      基準位置
ＳＷ１〜ＳＷ５（ＳＷ）  キー
【図１】
2008311021.tif 000003
【図２】
2008311021.tif 000004
【図３】
2008311021.tif 000005
【図４】
2008311021.tif 000006
【図５】
2008311021.tif 000007
【図６】
2008311021.tif 000008
【図７】
2008311021.tif 000009